(57)【特許請求の範囲】
【請求項１】
光回線終端装置（ＯＬＴ）において、光ネットワークユニット起動進行中に光ネットワークユニットの波長を設定する方法であって、
Ｂ．光ネットワークユニットが適正なアップリンク波長および適正なダウンリンク波長で動作しているか否かを判定するステップと、
Ｃ．光ネットワークユニットが適正なアップリンク波長および／または適正なダウンリンク波長で動作していない場合に、波長設定メッセージを送るステップであり、波長設定メッセージが適正アップリンク波長指示メッセージおよび／または適正ダウンリンク波長指示メッセージ、光ネットワークユニットのベンダＩＤ、ならびに光ネットワークユニットのベンダ固有シリアル番号を含む、送るステップとを含み、
ステップＢおよびＣが、光回線終端装置（ＯＬＴ）が光ネットワークユニットの識別子を光ネットワークユニットに割り当てる前に実行される、方法。
【請求項２】
ステップＢの前に、
Ａ．光ネットワークユニットからシリアル番号情報を受信するステップであり、シリアル番号情報が光ネットワークユニットのベンダＩＤおよび光ネットワークユニットのベンダ固有シリアル番号を含む、受信するステップをさらに含み、
ステップＢが、
シリアル番号情報によって、光ネットワークユニットが適正なアップリンク波長および／または適正なダウンリンク波長で動作しているか否かを判定するステップをさらに含む、請求項１に記載の方法。
【請求項３】
ステップＢが、
光回線終端装置（ＯＬＴ）のデータベースを参照することによって、光ネットワークユニットが適正なアップリンク波長および／または適正なダウンリンク波長で動作しているか否かを判定するステップであり、データベースが光ネットワークユニットのシリアル番号と適正なアップリンク波長および／または適正なダウンリンク波長との対応関係を格納した、判定するステップか、
光ネットワークユニットのシリアル番号情報を別のネットワーク要素と通信することにより光ネットワークユニットが動作すべき適正なアップリンク波長および／または適正なダウンリンク波長を取得することによって、光ネットワークユニットが適正なアップリンク波長および／または適正なダウンリンク波長で動作しているか否かを判定するステップか、
をさらに含む、請求項２に記載の方法。
【請求項４】
適正アップリンク波長指示メッセージが、適正なアップリンク波長に関連する適正なアップリンク波長の値もしくは適正なアップリンク波長のチャンネル番号もしくは波長調整情報を含み、ならびに／または、適正ダウンリンク波長指示メッセージが、適正なダウンリンク波長に関連する適正なダウンリンク波長の値もしくは適正なダウンリンク波長のチャンネル番号もしくは波長調整情報を含む、請求項３に記載の方法。
【請求項５】
光ネットワークユニットにおいて、光回線終端装置（ＯＬＴ）が光ネットワークユニット起動進行中に光ネットワークユニットの波長を設定するのを支援する方法であって、
ｂ．光回線終端装置（ＯＬＴ）により送られた波長設定メッセージを受信するステップであり、波長設定メッセージが適正アップリンク波長指示メッセージおよび／または適正ダウンリンク波長指示メッセージ、光ネットワークユニットのベンダＩＤ、ならびに光ネットワークユニットのベンダ固有シリアル番号を含む、受信するステップと、
ｃ．波長設定メッセージにおける光ネットワークユニットのベンダＩＤおよび光ネットワークユニットのベンダ固有シリアル番号がそれぞれ、光ネットワークユニット自体のベンダＩＤおよび光ネットワークユニット自体のベンダ固有シリアル番号と一致しているか否かを判定するステップと、
ｄ．一致する場合に、適正アップリンク波長指示メッセージおよび／または適正ダウンリンク波長指示メッセージによって、現在のアップリンク波長および／または現在のダウンリンク波長を適正なアップリンク波長および／または適正なダウンリンク波長に合わせるステップとを含み、
ステップｂ、ｃおよびｄが、光回線終端装置（ＯＬＴ）が光ネットワークユニットの識別子を光ネットワークユニットに割り当てる前に実行される、方法。
【請求項６】
ステップｂの前に、
ａ．シリアル番号情報を光回線終端装置（ＯＬＴ）に送信するステップであり、シリアル番号情報が光ネットワークユニット自体のベンダＩＤおよび光ネットワークユニット自体のベンダ固有シリアル番号を含む、送信するステップをさらに含む、請求項５に記載の方法。
【請求項７】
適正アップリンク波長指示メッセージが、適正なアップリンク波長に関連する適正なアップリンク波長の値もしくは適正なアップリンク波長のチャンネル番号もしくは波長調整情報を含み、ならびに／または、適正ダウンリンク波長指示メッセージが、適正なダウンリンク波長に関連する適正なダウンリンク波長の値もしくは適正なダウンリンク波長のチャンネル番号もしくは波長調整情報を含む、請求項５または６に記載の方法。
【請求項８】
光ネットワークユニットが適正なアップリンク波長および／または適正なダウンリンク波長をバッファリング可能な場合、ステップｄが、
現在のアップリンク波長および／または現在のダウンリンク波長を適正なアップリンク波長および／または適正なダウンリンク波長で置き換えるステップをさらに含む、請求項７に記載の方法。
【発明の詳細な説明】
【技術分野】
【０００１】
本開示は、光通信技術に関し、詳細には、光ネットワークユニット起動進行中に光ネットワークユニットの波長を自動的に設定する方法および光ネットワークユニット動作進行中に光ネットワークユニットの波長を自動的に設定する方法に関する。
【背景技術】
【０００２】
たとえば３次元（３Ｄ）テレビ、遠隔医療サービス、オンラインゲーム、対話型ビデオ電子式学習、および他のサービスの展開等、多くの新しい先進的なマルチメディアアプリケーションの出現に伴って、これらのアプリケーションを搬送するネットワーク帯域幅に対する要求が大幅に高くなっている。国際電気通信連合（ＩＴＵ−Ｔ）の電気通信標準化部門（Ｔｅｌｅｃｏｍｍｕｎｉｃａｔｉｏｎ  Ｓｔａｎｄａｒｄｉｚａｔｉｏｎ  Ｓｅｃｔｏｒ）およびフルサービスアクセスネットワーク（ＦＳＡＮ）においては、次世代パッシブ光ネットワーク（ＮＧ−ＰＯＮ２）が注目の話題となっている。大半のオペレータは、ＮＧ−ＰＯＮ２に対して、より広い帯域幅、高分割比、より長い伝送距離、およびより高いアクセス容量を期待している。現在、ＮＧ−ＰＯＮ２の要求は、ＦＳＡＮおよびＩＴＵ−Ｔによって、利用可能な帯域幅を最大４０Ｇｂ／ｓのレートへと拡大するように確認されている。
【０００３】
最近のＦＳＡＮ会合においては、すべての技術的解決手段候補の中から、時間波長分割多重方式パッシブ光ネットワーク（ＴＷＤＭ−ＰＯＮ）がＮＧ−ＰＯＮ２に対する業界第１の解決手段と考えられており、１：６４の通常分割比において４つの１０Ｇ  ＸＧ−ＰＯＮがＴＷＤＭ−ＰＯＮにスタックされることにより、ダウンリンクで４０Ｇｂ／ｓ、アップリンクで１０Ｇｂ／ｓのアグリゲートレートを実現している。１つの波長において、ＴＷＤＭ−ＰＯＮは、ＸＧ−ＰＯＮ（すなわち、１０ＧＰＯＮ）のダウンリンク多重アップリンクアクセス技術、タイムスロット粒度、マルチキャスト性能、および帯域幅割り当てメカニズムを再利用する。
【０００４】
通常、ＴＷＤＭ−ＰＯＮの既存の用途においては、以下のような一般要求がある：
【０００５】
１．アクティブな光ネットワークユニットが数個しかない場合は、すべての光ネットワークユニットが調整により同じアップリンク波長およびダウンリンク波長で動作してエネルギーが節約されるようにする必要がある。
【０００６】
２．ＴＷＤＭ−ＰＯＮのインフラ提供者が多くの仮想ネットワークオペレータにインフラネットワークを貸与する場合は、それぞれの仮想ネットワークオペレータに対応する光ネットワークユニットに対して、対応する波長が提供される必要がある。これにより、ＴＷＤＭ−ＰＯＮは、関連する光ネットワークユニットを効果的に設定することによって、仮想ネットワークオペレータに貸与されたアップリンク波長およびダウンリンク波長で動作可能とできる必要がある。
【０００７】
３．第２の要求に関しては、それぞれの異なる仮想ネットワークオペレータ間で顧客も切り替えられるようになっていてもよく、これにより、ＴＷＤＭ−ＰＯＮはさらに、光ネットワークユニットのアップリンク波長およびダウンリンク波長を適時に調整できる必要がある。
【０００８】
４．同じアップリンク波長および同じダウンリンク波長で動作する光ネットワークユニットが多すぎる場合、ＴＷＤＭ−ＰＯＮは、負荷分散を目的として、いくつかの光ネットワークユニットのアップリンク波長およびダウンリンク波長を調整して対応する負荷を低減する必要がある。
【０００９】
ただし、アクセスネットワークには多数の光ネットワークユニットが存在することから、光ネットワークユニットの波長の静的な設定または光ネットワークユニットの波長の手動調整により上記４つの要求を満たすことが予想以上に複雑または困難な場合がある。
【発明の概要】
【発明が解決しようとする課題】
【００１０】
このようなことから、（特に、光ネットワークユニット起動進行中に）ＴＷＤＭ−ＰＯＮシステムの光ネットワークユニットのアップリンク波長およびダウンリンク波長を遠隔で自動設定することによって、上記例示的な要求を効果的に満たす解決手段が求められている。
【００１１】
従来技術において、（特に、光ネットワークユニット起動進行中に）ＴＷＤＭ−ＰＯＮシステムの光ネットワークユニットのアップリンク波長およびダウンリンク波長を遠隔で自動設定する解決手段がなかったことは明らかである。このため、光ネットワークユニットの効果的な波長設定を実現することができない。
【課題を解決するための手段】
【００１２】
従来技術の問題に対処するため、本発明の第１の態様によれば、光回線終端装置（ＯＬＴ）において、光ネットワークユニット起動進行中に光ネットワークユニットの波長を自動的に設定する方法であって、Ｂ．光ネットワークユニットが適正なアップリンク波長および適正なダウンリンク波長で動作しているか否かを判定するステップと、Ｃ．光ネットワークユニットが適正なアップリンク波長および適正なダウンリンク波長で動作していない場合に波長設定メッセージをブロードキャストするステップであり、波長設定メッセージが適正アップリンク波長指示メッセージ、適正ダウンリンク波長指示メッセージ、光ネットワークユニットのベンダＩＤ、および光ネットワークユニットのベンダ固有シリアル番号を含む、ブロードキャストするステップとを含む、方法が提案される。
【００１３】
ステップＢおよびＣは、光回線終端装置（ＯＬＴ）が光ネットワークユニットの識別子を光ネットワークユニットに割り当てる前に実行されるのが好ましい。
【００１４】
ステップＢの前に、Ａ．光ネットワークユニットからシリアル番号情報を受信するステップであり、シリアル番号情報が光ネットワークユニットのベンダＩＤおよび光ネットワークユニットのベンダ固有シリアル番号を含む、受信するステップをさらに含み、ステップＢは、シリアル番号情報によって、光ネットワークユニットが適正なアップリンク波長および適正なダウンリンク波長で動作しているか否かを判定するサブステップをさらに含むのが好ましい。
【００１５】
ステップＢは、光回線終端装置（ＯＬＴ）のデータベースを参照することによって、光ネットワークユニットが適正なアップリンク波長および適正なダウンリンク波長で動作しているか否かを判定するサブステップであり、データベースが光ネットワークユニットのシリアル番号と適正なアップリンク波長および適正なダウンリンク波長との対応関係を格納した、判定するサブステップをさらに含むのが好ましい。
【００１６】
あるいは、ステップＢは、光ネットワークユニットのシリアル番号情報を別のネットワーク要素と通信することにより光ネットワークユニットが動作すべき適正なアップリンク波長および適正なダウンリンク波長を取得することによって、光ネットワークユニットが適正なアップリンク波長および適正なダウンリンク波長で動作しているか否かを判定するサブステップをさらに含むのが好ましい。ここで、他方のネットワーク要素は、たとえばＡＡＡサーバとすることができる。
【００１７】
適正アップリンク波長指示メッセージは、適正なアップリンク波長に関連する適正なアップリンク波長の値もしくは適正なアップリンク波長のチャンネル番号もしくは波長調整情報を含み、ならびに／または、適正ダウンリンク波長指示メッセージは、適正なダウンリンク波長に関連する適正なダウンリンク波長の値もしくは適正なダウンリンク波長のチャンネル番号もしくは波長調整情報を含むのが好ましい。ここで、波長調整情報は、たとえば適正な波長を実現するために光ネットワーク要素が調節すべき波長の量を指示可能である。
【００１８】
本発明の第２の態様によれば、光ネットワークユニットにおいて、光回線終端装置（ＯＬＴ）が光ネットワークユニット起動進行中に光ネットワークユニットの波長を自動的に設定するのを支援する方法であって、ｂ．光回線終端装置（ＯＬＴ）によりブロードキャストされた波長設定メッセージを受信するステップであり、波長設定メッセージが適正アップリンク波長指示メッセージ、適正ダウンリンク波長指示メッセージ、光ネットワークユニットのベンダＩＤ、および光ネットワークユニットのベンダ固有シリアル番号を含む、受信するステップと、ｃ．波長設定メッセージにおける光ネットワークユニットのベンダＩＤおよび光ネットワークユニットのベンダ固有シリアル番号がそれぞれ、光ネットワークユニット自体のベンダＩＤおよび光ネットワークユニット自体のベンダ固有シリアル番号と一致しているか否かを判定するステップと、ｄ．一致する場合に、適正アップリンク波長指示メッセージおよび適正ダウンリンク波長指示メッセージによって、現在のアップリンク波長および現在のダウンリンク波長をそれぞれ適正なアップリンク波長および適正なダウンリンク波長に合わせるステップとを含む、方法が提案される。
【００１９】
ステップｂの前に、ａ．シリアル番号情報を光回線終端装置（ＯＬＴ）に送信するステップであり、シリアル番号情報が光ネットワークユニット自体のベンダＩＤおよび光ネットワークユニット自体のベンダ固有シリアル番号を含む、送信するステップをさらに含むのが好ましい。
【００２０】
光ネットワークユニットが適正なアップリンク波長および適正なダウンリンク波長をバッファリング可能な場合、ステップｄは、現在のアップリンク波長および現在のダウンリンク波長をそれぞれ適正なアップリンク波長および適正なダウンリンク波長で置き換えるサブステップをさらに含むのが好ましい。このように、光ネットワークユニットは、次の始動において、適正なアップリンク波長および適正なダウンリンク波長で自動的に動作することにより、光回線終端装置（ＯＬＴ）がその波長を再び調整することがないようにする。
【００２１】
本発明の第３の態様によれば、光回線終端装置（ＯＬＴ）において、光ネットワークユニット動作進行中に光ネットワークユニットの波長を自動的に設定する方法であり、少なくとも１つの光ネットワークユニットが現在のダウンリンク波長としての第１のダウンリンク波長で光回線終端装置（ＯＬＴ）と通信する、方法であって、波長設定メッセージを第１のダウンリンク波長で少なくとも１つの光ネットワークユニットにブロードキャストするステップであり、波長設定メッセージが適正アップリンク波長指示メッセージおよび適正ダウンリンク波長指示メッセージを含む、ブロードキャストするステップを含む、方法が提案される。
【００２２】
本発明の第４の態様によれば、光ネットワークユニットにおいて、光回線終端装置（ＯＬＴ）が光ネットワークユニット動作進行中に光ネットワークユニットの波長を自動的に設定するのを支援する方法であり、光ネットワークユニットが現在のダウンリンク波長としての第１のダウンリンク波長で光回線終端装置（ＯＬＴ）と通信する、方法であって、Ｘ１．光回線終端装置（ＯＬＴ）により第１のダウンリンク波長でブロードキャストされた波長設定メッセージを受信するステップであり、波長設定メッセージが適正アップリンク波長指示メッセージおよび適正ダウンリンク波長指示メッセージを含む、受信するステップと、Ｘ２．適正アップリンク波長指示メッセージおよび適正ダウンリンク波長指示メッセージによって、現在のアップリンク波長および現在のダウンリンク波長をそれぞれ適正なアップリンク波長および適正なダウンリンク波長に合わせるステップとを含む、方法が提案される。
【００２３】
本発明の第３および第４の態様によれば、光回線終端装置（ＯＬＴ）は、同じ受信波長で動作している光ネットワークユニットを調整することによって、これら光ネットワークユニットのアップリンク波長およびダウンリンク波長をそれぞれ新たなアップリンク波長および新たなダウンリンク波長に調整することができる。
【００２４】
本発明の第５の態様によれば、光回線終端装置（ＯＬＴ）において、光ネットワークユニット動作進行中に光ネットワークユニットの波長を自動的に設定する方法であって、波長設定メッセージを光ネットワークユニットに送信するステップであり、波長設定メッセージが適正アップリンク波長指示メッセージ、適正ダウンリンク波長指示メッセージ、および光ネットワークユニットの識別子を含み、適正アップリンク波長指示メッセージが、適正なアップリンク波長に関連する適正なアップリンク波長の値もしくは適正なアップリンク波長のチャンネル番号もしくは波長調整情報を含み、ならびに／または、適正ダウンリンク波長指示メッセージが、適正なダウンリンク波長に関連する適正なダウンリンク波長の値もしくは適正なダウンリンク波長のチャンネル番号もしくは波長調整情報を含み、光ネットワークユニットの識別子が、光ネットワークユニット起動進行中に光回線終端装置（ＯＬＴ）によって光ネットワークユニットに割り当てられる、送信するステップを含む、方法が提案される。
【００２５】
本発明の第６の態様によれば、光ネットワークユニットにおいて、光回線終端装置（ＯＬＴ）が光ネットワークユニット動作進行中に光ネットワークユニットの波長を自動的に設定するのを支援する方法であって、ｉ．光ネットワークユニットから波長設定メッセージを受信するステップであり、波長設定メッセージが適正アップリンク波長指示メッセージ、適正ダウンリンク波長指示メッセージ、および光ネットワークユニットの識別子を含み、適正アップリンク波長指示メッセージが、適正なアップリンク波長に関連する適正なアップリンク波長の値もしくは適正なアップリンク波長のチャンネル番号もしくは波長調整情報を含み、ならびに／または、適正ダウンリンク波長指示メッセージが、適正なダウンリンク波長に関連する適正なダウンリンク波長の値もしくは適正なダウンリンク波長のチャンネル番号もしくは波長調整情報を含み、光ネットワークユニットの識別子が、光ネットワークユニット起動進行中に光回線終端装置（ＯＬＴ）によって光ネットワークユニットに割り当てられる、受信するステップと、ｉｉ．適正アップリンク波長指示メッセージおよび適正ダウンリンク波長指示メッセージによって、現在のアップリンク波長および現在のダウンリンク波長をそれぞれ適正なアップリンク波長および適正なダウンリンク波長に合わせるステップとを含む、方法が提案される。
【００２６】
本発明の第５および第６の態様によれば、光回線終端装置（ＯＬＴ）は、特定の光ネットワークユニットのアップリンク波長およびダウンリンク波長をそれぞれ方向付け（ダイレクト）させて、新たなアップリンク波長および新たなダウンリンク波長に調整することができる。
【００２７】
本発明による好適な技術的解決手段によれば、光回線終端装置（ＯＬＴ）は、光ネットワークユニットの波長を遠隔で自動的に設定可能であり、たとえば、光ネットワークユニット起動進行中または光ネットワークユニット動作進行中にこれを実施可能である。したがって、長時間の手動設定が回避可能であり、ＴＷＤＭ−ＰＯＮの柔軟性が向上可能であり、ＴＷＤＭ−ＰＯＮがより高いサービス要求に対応可能であるとともに、その堅牢性を向上可能である。たとえば、光回線終端装置（ＯＬＴ）は、仮想ネットワークオペレータの要求に基づいて、ある特定の光ネットワークユニットを対応するアップリンク波長およびダウンリンク波長に調整することができる。また、たとえばアクティブな光ネットワークユニットが数個しかない場合は、すべての光ネットワークユニットが調整により同じアップリンク波長およびダウンリンク波長で動作してエネルギーが節約されるようにすることができる。
【００２８】
本発明の各態様については、特定の実施形態に関する以下の説明によって、より明らかとなるであろう。
【００２９】
本発明の他の特徴、目的、および利点については、図面を参照して非限定的な実施形態に関する以下の詳細な説明を精査することによって、より明らかとなるであろう。
【図面の簡単な説明】
【００３０】
【図１】従来技術における光ネットワークユニットの起動プロセスの体系的方法の模式的なフローチャートを示した図である。
【図２】本発明の一実施形態による光ネットワークユニットの起動プロセスの体系的方法の模式的なフローチャートを示した図である。
【図３】本発明の別の実施形態による体系的方法の模式的なフローチャートを示した図である。
【図４】本発明のさらに別の実施形態による体系的方法の模式的なフローチャートを示した図である。
【発明を実施するための形態】
【００３１】
図面の異なる図中において、同一または類似の参照番号は、同一または対応する構成要素または特徴を示している。
【００３２】
図１は、従来技術における光ネットワークユニットの起動プロセスの体系的方法の模式的なフローチャートを示している。関心のある読者は、図１の各ステップの詳細に関して、Ｇ．９８７．３の定義を参照可能であり、ここではその詳細な説明が省略される。
【００３３】
図２は、本発明の一実施形態による光ネットワークユニットの起動プロセスの体系的方法の模式的なフローチャートを示している。図１と比較して、本発明は、図１と比較して光ネットワークユニットの波長を自動的に設定する動作（すなわち、ステップＳ１０４、Ｓ１０５、Ｓ１０６、およびＳ１０７）を光ネットワークユニットの起動プロセスに追加しているため、本発明による光ネットワークユニットの起動プロセスでは、光ネットワークユニットの波長を自動的に設定することができる。
【００３４】
図２に示されるように、図１の従来技術と同様に、ステップＳ１０１において、光ネットワークユニット（ＯＮＵ）は、起動プロセスに入り、現在のダウンリンク波長でのダウンリンク送信をリスンして同期情報を取得する。ステップＳ１０２において、ＯＮＵは、アップリンクチャンネルのバーストプロファイルを取得する。ステップＳ１０３において、ＯＮＵは、現在のアップリンク波長でシリアル番号情報を光回線終端装置（ＯＬＴ）に送信するが、シリアル番号情報は、ＯＮＵ自体のベンダＩＤおよびＯＮＵ自体のベンダ固有シリアル番号（ＶＳＳＮ）を含む。
【００３５】
次に、本発明によれば、ステップＳ１０４において、ＯＬＴは、ＯＮＵが適正なアップリンク波長および適正なダウンリンク波長で動作しているか否かを判定する。特に、ＯＬＴは、ＯＮＵのシリアル番号情報に関してＯＬＴのデータベースを参照することにより、ＯＮＵに対応する適正なアップリンク波長および適正なダウンリンク波長を探索するとともに、ＯＮＵの現在のアップリンク波長およびダウンリンク波長と比較することによって、ＯＮＵが適正なアップリンク波長および適正なダウンリンク波長で動作しているか否かを判定することができる。あるいは、ＯＬＴは、ＯＮＵの受信されたシリアル番号情報を別のネットワーク要素（たとえば、ＡＡＡサーバ）と通信することにより、ＯＮＵが動作すべき適正なアップリンク波長および適正なダウンリンク波長をこの他方のネットワーク要素から取得するとともに、ＯＮＵの現在のアップリンク波長およびダウンリンク波長と比較することによって、ＯＮＵが適正なアップリンク波長および適正なダウンリンク波長で動作しているか否かを判定することができる。ここで、当然のことながら、ステップＳ１０１からＳ１０３はＯＮＵとＯＬＴとの間で実行されることから、ＯＬＴは当然、ＯＮＵが現在動作しているアップリンク波長およびダウンリンク波長を既に把握できているため、比較が可能である。
【００３６】
ステップＳ１０４において、ＯＮＵが適正なアップリンク波長および適正なダウンリンク波長で動作していないと判定された場合、この方法は、ステップＳ１０５に進む。ステップＳ１０４において、ＯＮＵが既に適正なアップリンク波長および適正なダウンリンク波長で動作していると判定された場合、この方法は、ステップＳ１０５からＳ１０７を省略して、従来技術のステップＳ１０８からＳ１１０へと進む。
【００３７】
次に、以下の説明では、ＯＮＵが適正なアップリンク波長および適正なダウンリンク波長で動作していないと判定され、この方法がステップＳ１０５に進む一例が示される。
【００３８】
ステップＳ１０５において、ＯＬＴは、波長設定メッセージをブロードキャストする。波長設定メッセージは、適正アップリンク波長指示メッセージ、適正ダウンリンク波長指示メッセージ、光ネットワークユニットのベンダＩＤ、および光ネットワークユニットのベンダ固有シリアル番号を含む。ここで、光ネットワークユニットのベンダＩＤおよび光ネットワークユニットのベンダ固有シリアル番号は、ステップＳ１０３のシリアル番号情報からコピーされたものである。
【００３９】
ここで、適正アップリンク波長指示メッセージは、適正なアップリンク波長に関連する適正なアップリンク波長の値もしくは適正なアップリンク波長のチャンネル番号もしくは波長調整情報を含む。適正ダウンリンク波長指示メッセージは、適正なダウンリンク波長に関連する適正なダウンリンク波長の値もしくは適正なダウンリンク波長のチャンネル番号もしくは波長調整情報を含む。さらに、本発明の特定の一実施形態によれば、波長設定情報を伝送するため、新たな物理層運用／管理保守（ＰＬＯＡＭ）メッセージすなわちＡｓｓｉｇｎ＿ＯＮＵ−Ｗａｖｅｌｅｎｇｔｈメッセージが規定される。表１は、このメッセージのフォーマットを示しており、現在予約されているバイト２１−４０は、たとえば現在の送信波長が調整される相対値等、波長の他の設定情報を伝送するため、さらに拡張可能である。
【００４０】
【表１】
0006401824.tif 000002
【００４１】
本実施形態においては、ブロードキャストメッセージゆえに、ＯＮＵ−ＩＤが０ｘ０３ＦＦに設定される。当然、ＯＬＴがＯＮＵにＩＤを割り当てていないことから、ＯＮＵはＩＤを有していない。さらに、ベンダＩＤおよびＶＳＳＮはそれぞれ、ステップＳ１０３においてＯＮＵから取得されたＯＮＵのベンダＩＤおよびＯＮＵのベンダ固有シリアル番号に設定される。
【００４２】
そして、ステップＳ１０６において、ＯＮＵは、ブロードキャストされた波長設定メッセージ（Ａｓｓｉｇｎ＿ＯＮＵ−Ｗａｖｅｌｅｎｇｔｈメッセージ）をＯＬＴから受信し、受信された波長設定メッセージにおける光ネットワークユニットのベンダＩＤおよび光ネットワークユニットのベンダ固有シリアル番号がそれぞれ、ＯＮＵ自体のベンダＩＤおよびＯＮＵ自体のベンダ固有シリアル番号と一致しているか否かを判定する。一致する場合は、波長設定メッセージがＯＮＵに送信されることを指示しており、この方法はステップＳ１０７に進む。一致しない場合は、波長設定メッセージがＯＮＵに送信されないことを指示しており、この方法はステップＳ１０８からＳ１１０へと進む。
【００４３】
ステップＳ１０７において、ＯＮＵは、適正アップリンク波長指示メッセージおよび適正ダウンリンク波長指示メッセージによって、現在のアップリンク波長および現在のダウンリンク波長をそれぞれ適正なアップリンク波長および適正なダウンリンク波長に合わせる。さらに、ＯＮＵは、ステップＳ１０７において、現在のアップリンク波長および現在のダウンリンク波長をそれぞれ適正なアップリンク波長および適正なダウンリンク波長で置き換えることにより、次回始動時にもなお適正なアップリンク波長および適正なダウンリンク波長でＯＬＴと通信可能である。
【００４４】
そして、続くステップＳ１０８からＳ１０９において、ＯＮＵは、なお適正なアップリンク波長および適正なダウンリンク波長でＯＬＴと通信する。ステップＳ１０８において、ＯＬＴは、ＯＮＵまでの距離を測定し、応答周期を測定する準備をする。ステップＳ１０９において、ＯＮＵは、ＯＬＴに応答する。ステップＳ１１０において、ＯＬＴは、ＯＮＵを認証して、ＯＮＵにＩＤを割り当てる。ＯＮＵは、そのアップストリーム物理フレームクロックを調整し、起動を完了して、通常の動作を始動する。これらのステップにおける特定の動作は、従来技術と一致するため、ここではその詳細な説明が省略される。
【００４５】
図３は、本発明の別の実施形態による体系的方法の模式的なフローチャートを示している。図３の例示的な適用シナリオにおいて、ＯＬＴは、ＯＮＵ動作進行中に同じ受信波長で動作しているすべてのＯＮＵの波長を調整する。
【００４６】
図３に示されるように、現在のダウンリンク波長としての第１のダウンリンク波長（たとえば、ＴＷＤＭ−ＰＯＮシステムの４つのダウンリンク波長のうちのいずれか）でＯＮＵ１からＯＮＵｎがＯＬＴと通信している場合、ＯＬＴがこれらＯＮＵ１からＯＮＵｎの波長を併せて調整する必要があれば、以下のステップが実行可能である。
【００４７】
ステップＳ３０１において、ＯＬＴは、波長設定メッセージを第１のダウンリンク波長でＯＮＵ１からＯＮＵｎにブロードキャストするが、波長設定メッセージは、適正アップリンク波長指示メッセージおよび適正ダウンリンク波長指示メッセージを含む。したがって、現在のダウンリンク波長としての第１のダウンリンク波長で動作しているすべてのＯＮＵ１からＯＮＵｎが波長設定メッセージを受信することになる。
【００４８】
ここでも、波長設定メッセージのフォーマットは、表１のフォーマットと実質的に一致している。ただし、図２を参照した説明による波長設定メッセージのフォーマットとの違いとして、ベンダＩＤおよびＶＳＳＮフィールドが０に設定されている。
【００４９】
次に、ステップＳ３０２において、ＯＮＵ１からＯＮＵｎは、適正アップリンク波長指示メッセージおよび適正ダウンリンク波長指示メッセージによって、現在のアップリンク波長および現在のダウンリンク波長をそれぞれ適正なアップリンク波長および適正なダウンリンク波長に合わせる。したがって、後続の通信では、すべてのＯＮＵ１からＯＮＵｎが適正なアップリンク波長および適正なダウンリンク波長で動作することになる。さらに、ＯＮＵ１およびＯＮＵｎは、ステップＳ３０２において、現在のアップリンク波長および現在のダウンリンク波長をそれぞれ適正なアップリンク波長および適正なダウンリンク波長で置き換えることにより、次回始動時にもなお適正なアップリンク波長および適正なダウンリンク波長でＯＬＴと通信可能である。
【００５０】
図４は、本発明のさらに別の実施形態による体系的方法の模式的なフローチャートを示している。図４の例示的な適用シナリオにおいて、ＯＬＴは、ＯＮＵ動作進行中に特定のＯＮＵの波長を調整する。
【００５１】
図４に示されるように、ステップＳ４０１において、ＯＬＴは、波長設定メッセージをＯＮＵに送信するが、波長設定メッセージは、適正アップリンク波長指示メッセージ、適正ダウンリンク波長指示メッセージ、およびＯＮＵのＩＤを含む。ＯＮＵのＩＤは、たとえば図１のステップ６および図２のステップＳ１１０において、ＯＮＵ起動進行中にＯＬＴによって割り当てられる。
【００５２】
ここでも、波長設定メッセージのフォーマットは、表１のフォーマットと一致している。ただし、図２および図３を参照した説明による波長設定メッセージのフォーマットとの違いとして、波長設定メッセージがブロードキャストされる代わりに方向付け（ダイレクト）されるため、ＯＮＵ−ＩＤは、起動プロセス中にＯＬＴによってＯＮＵに割り当てられたＩＤに設定され、ベンダＩＤおよびＶＳＳＮフィールドが０に設定される（当然、ベンダＩＤおよびＶＳＳＮは代替として、ＯＮＵのベンダＩＤおよびＶＳＳＮに設定可能である）。
【００５３】
次に、ステップＳ４０２において、ＯＮＵは、適正アップリンク波長指示メッセージおよび適正ダウンリンク波長指示メッセージによって、現在のアップリンク波長および現在のダウンリンク波長をそれぞれ適正なアップリンク波長および適正なダウンリンク波長に合わせる。したがって、後続の通信では、ＯＮＵが適正なアップリンク波長および適正なダウンリンク波長で動作することになる。
【００５４】
上記３つの実施形態では、新たなダウンリンクＰＬＯＡＭメッセージが与えられている。表２は、波長設定メッセージ（Ａｓｓｉｇｎ＿ＯＮＵ−Ｗａｖｅｌｅｎｇｔｈメッセージ）の特徴をさらにまとめたものである。本発明において、ＯＬＴは、このメッセージを用いることによって、ＯＮＵに対する適正なアップリンク／ダウンリンク波長の自動的な設定／割り当てを行う。
【００５５】
【表２】
0006401824.tif 000003
【００５６】
当然のことながら、上記実施形態はほんの一例に過ぎず、本発明を制限するものではない。異なる実施形態に現れる異なる技術的解決手段の使用を含めて、本発明の主旨から逸脱しない如何なる技術的解決手段も、本発明の範囲に含まれるものとし、装置および方法が有利に組み合わせ可能である。さらに、請求項中の如何なる参照番号も、その請求項を制限するものとして解釈されることはないものとする。また、用語「含む（ｃｏｍｐｒｉｓｉｎｇ）」は、その他の（１つもしくは複数の）請求項または明細書に記載された別の（１つもしくは複数の）装置または（１つもしくは複数の）ステップを除外しないものとする。
【図１】
0006401824.tif 000004
【図２】
0006401824.tif 000005
【図３】
0006401824.tif 000006
【図４】
0006401824.tif 000007